(57)【要約】【課題】優先的に接続するネットワーク接続リストを作成し、自動接続を行うネットワーク自動検索表示装置を提供。【解決手段】存在する１以上のネットワーク上の情報を受信し、エラー情報等を抽出する送受信処理手段１０２と、抽出された情報から各ネットワークの接続状態を判断し、接続状態の良い順にネットワーク情報リストを出力するデータ変換処理手段１０４と、ネットワーク識別子から電波強度情報を抽出し、電波強度の強い順にネットワーク識別情報リストを出力するネットワーク監視処理手段１０３と、ネットワーク識別情報とネットワーク情報リストを基にネットワークの通信状態の接続優先度を設定するネットワーク情報設定処理手段１０５と、ネットワークの接続優先度情報を基に優先度の高いネットワークに接続するネットワーク切換処理手段１０６と、接続されたネットワーク上の端末を表示する表示手段１０７とからなるネットワーク自動検索表示装置。【選択図】図１
2010278818.tif 000002
【特許請求の範囲】
【請求項１】
任意のネットワークに接続し、最適にデータ通信可能なネットワークに接続するネットワーク自動検索表示装置であって、
存在する１以上のネットワーク上の情報を受信し、サイズ情報、エラー情報、衝突パケット発生情報を抽出する送受信処理手段と、
前記送受信処理手段によって抽出された前記各情報から各ネットワークの接続状態を判断し、接続状態の良い順にネットワーク情報リストを出力するデータ変換処理手段と、
前記ネットワーク上に存在するネットワーク識別子から電波強度情報を抽出し、前記電波強度の強い順にネットワーク識別情報リストを出力するネットワーク監視処理手段と、
前記ネットワーク監視処理手段から出力される前記ネットワーク識別情報と、前記データ変換処理手段から出力されるネットワーク情報リストを基に、前記存在する１以上のネットワークの通信状態の接続優先度を設定するネットワーク情報設定処理手段と、
前記ネットワーク情報設定処理手段で設定されたネットワークの接続優先度情報を基に優先度の高いネットワークに接続するネットワーク切換処理手段と、
前記ネットワーク切換処理手段で接続されたネットワーク上の端末を表示する表示手段と、を有することを特徴とするネットワーク自動検索表示装置。
【請求項２】
前記送受信処理手段は、接続されているネットワーク上に任意に存在している通信情報を基に、現在のデータ情報を受信する受信手段と、
前記通信情報のパケットデータを蓄積するパケットデータ蓄積手段と、
前記通信情報に含まれる補足データを蓄積する補足データ蓄積手段と、
前記パケットデータ蓄積手段の出力と、前記補足データ蓄積手段の出力を基にパケット情報リストを作成する受信データリスト作成手段と、
を有することを特徴とする請求項１記載のネットワーク自動検索表示装置。
【請求項３】
前記ネットワーク監視処理手段は、接続されているネットワーク上に任意に存在しているネットワーク情報を基に、現在のネットワーク情報を受信する受信手段と、
前記受信手段の出力から、ネットワーク識別情報および電波強度情報などを検出するネットワーク識別情報検出手段と、
前記ネットワーク識別情報検出手段で検出した情報を基にネットワーク識別情報リストを作成するネットワーク識別リスト作成手段と、
を有することを特徴とする請求項１記載のネットワーク自動検索表示装置。
【請求項４】
前記ネットワーク情報設定処理手段は、前記データ変換処理手段で作成された前記パケット情報リストを検出するパケット情報リスト検出手段と、
前記ネットワーク監視処理手段から出力される前記ネットワーク識別情報リストを検出するネットワーク識別情報リスト検出手段と、
検出したリストを比較し、優先順位を判定するネットワーク情報比較手段と、
前記優先順位付けされた情報を基にネットワーク接続を行う接続リストを作成する接続リスト作成手段と、
を有することを特徴とする請求項１記載のネットワーク自動検索表示装置。
【発明の詳細な説明】
【技術分野】
【０００１】
本発明はネットワーク接続の状態を監視し、設定した優先度に応じて接続するネットワークを自動で切換え検索結果を表示するネットワーク自動検索表示装置に関するものである。
【背景技術】
【０００２】
従来、無線や有線のネットワークに接続する場合、接続したいネットワークは事前に登録したネットワークに接続する。またはネットワーク上の中継器（サーバー）に所定データを送受信し、現状の通信状態を計測し、通信結果を基に接続するネットワークを決定、または、ユーザーに通知する方法が一般的であった（例えば特許文献１参照）。
【０００３】
図８は従来のネットワーク自動検索表示装置の一般的な構成を示すブロック図である。
【０００４】
図８において、受信端末８０１はストレージ８０２を持つサーバなどネットワークを制御する端末であり、ネットワーク上の全ての端末の通信情報を管理する。
【０００５】
個々の端末は送受信回路８０４を経由してネットワーク上に接続され、ネットワークの通信状態を調べるために定期的に計測パケットを通信状態計測パケット作成回路８０５で作成し、受信端末８０１に対して通信を行う。
【０００６】
受信端末８０１では受信した計測パケットから受信到達時間、およびエラー数を計測し、各端末に対し応答を返す。
【０００７】
各端末は返信された計測パケット情報を通信状態表示回路８０６に入力し、取得した情報をそのまま表示する。
【０００８】
このように行うのが従来の一般的なネットワーク自動検索表示方法である。
【先行技術文献】
【特許文献】
【０００９】
【特許文献１】特開２００７−１４２８５９号公報
【発明の概要】
【発明が解決しようとする課題】
【００１０】
しかしながら、上記従来のネットワーク自動検索表示方法では、計測用の通信情報をネットワーク上に送信したり、中継器など送信すべき端末が必要であったり、通信状態を把握するために通信状態表示用の専用パケットを送信するなどの定期的な通信が必要であり、受信結果に応じて優先的に接続するネットワークを決定する必要があり、また、中継器（サーバー）が存在しない環境下ではネットワークの通信状態を把握できないという課題があった。
【００１１】
本発明は、通信状態表示用の専用パケットを送信する必要も無く、また送信先端末も必要ない状態で現在の通信状態を把握でき、ネットワーク識別情報を加味することで、優先度の高いネットワークを設定することが可能になり、優先度順に接続を切り替えることでユーザーが接続したいネットワークに自動的に接続することができるネットワーク自動検索表示装置を提供することを目的とする。
【課題を解決するための手段】
【００１２】
前記課題を解決するために、本発明のネットワーク自動検索表示装置は、任意のネットワークに接続し、最適にデータ通信可能なネットワークに接続するネットワーク自動検索表示装置であって、
存在する１以上のネットワーク上の情報を受信し、サイズ情報、エラー情報、衝突パケット発生情報を抽出する送受信処理手段と、
前記送受信処理手段によって抽出された前記各情報から各ネットワークの接続状態を判断し、接続状態の良い順にネットワーク（パケット）情報リストを出力するデータ変換処理手段と、
前記ネットワーク上に存在するネットワーク識別子から電波強度情報を抽出し、前記電波強度の強い順にネットワーク識別情報リストを出力するネットワーク監視処理手段と、
前記ネットワーク監視処理手段から出力される前記ネットワーク識別情報と、前記データ変換処理手段から出力されるネットワーク情報リストを基に、前記存在する１以上のネットワークの通信状態の接続優先度を設定するネットワーク情報設定処理手段と、
前記ネットワーク情報設定処理手段で設定されたネットワークの接続優先度情報を基に優先度の高いネットワークに接続するネットワーク切換処理手段と、
前記ネットワーク切換処理手段で接続されたネットワーク上の端末を表示する表示手段を有することを特徴とするものである。
【発明の効果】
【００１３】
本発明は、ネットワーク上の情報データに含まれる送受信データ、再送データ、損失データなどの通信情報データから解析した通信状態と、存在しているネットワーク識別情報とから、現在接続可能なネットワーク識別情報の優先度を生成し、自動的に接続して端末検索を行い表示することにより、あらかじめ接続するネットワーク情報を設定することもなく、簡単にネットワーク上に存在する情報端末に接続することが可能になる。
【００１４】
また、中継器（サーバー）に特定データを送信する必要もないので、ネットワーク負荷も軽減した状態で、容易に接続可能なネットワークを検索することができるようになる。
【図面の簡単な説明】
【００１５】
【図１】本発明の一実施の形態のネットワーク自動検索表示装置の構成を示すブロック図
【図２】本発明の一実施の形態のネットワーク自動検索表示装置の送受信処理回路の構成を示すブロック図
【図３】本発明の一実施の形態のネットワーク自動検索表示装置のネットワーク監視処理回路の構成を示すブロック図
【図４】本発明の一実施の形態のネットワーク自動検索表示装置のデータ変換処理回路の構成を示すブロック図
【図５】本発明の一実施の形態のネットワーク自動検索表示装置のネットワーク情報設定処理回路の構成を示すブロック図
【図６】本発明の一実施の形態のネットワーク自動検索表示装置のネットワーク切換処理回路の構成を示すブロック図
【図７】本発明の一実施の形態のネットワーク自動検索表示装置の具体的な動作手順を説明するための動作手順説明図
【図８】従来のネットワーク自動検索表示装置の構成を示すブロック図
【発明を実施するための形態】
【００１６】
本発明の実施の形態について以下図を用いて説明する。
【００１７】
（実施例１）
図１は本発明の一実施の形態のネットワーク自動検索表示装置の構成を示すブロック図である。
【００１８】
図１において、ネットワーク接続用の送受信アンテナ１０１から取得したネットワーク上の情報は送受信処理回路１０２に受信データ（パケットデータ）として入力される。
【００１９】
送受信処理回路１０２で受信した受信データは蓄積され、後述する処理を行った後、解析結果情報として出力し、データ変換処理回路１０４に入力される。また送受信アンテナ１０１から取得したネットワーク上の情報はネットワーク監視処理回路１０３に受信データ（識別情報）として入力される。
【００２０】
ネットワーク監視処理回路１０３では、入力された受信データ（識別情報）を蓄積し、後述する処理を行った後、ネットワーク識別情報として、ネットワーク情報設定処理回路１０５に入力される。
【００２１】
データ変換処理回路１０４では、送受信処理回路１０２から出力された解析結果情報を基に、ネットワーク情報リストとして順位付けを行いリストデータに変換し、ネットワーク情報設定処理回路１０５に出力する。
【００２２】
ネットワーク情報設定処理回路１０５では、データ変換処理回路１０４から出力されたリストデータと、ネットワーク監視処理回路１０３から出力されたネットワーク識別情報を基に、後述する所定処理を行い、ネットワーク接続情報リストを構築し、ネットワーク切換処理回路１０６に出力する。
【００２３】
ネットワーク切換処理回路１０６では、ネットワーク情報設定処理回路１０５から出力されたネットワーク接続情報リストに応じて、ネットワークを自動で切換処理を行い、ネットワーク上の情報端末を検索し、検索結果から情報端末リストを作成し、表示回路１０７に出力する。
【００２４】
表示回路１０７では、情報端末リスト情報を表示する。
【００２５】
図２は本発明の一実施の形態のネットワーク自動検索表示装置の送受信処理回路１０２の構成を示すブロック図である。
【００２６】
図２において、受信回路ａ２０１は、送受信アンテナ１０１から受信したネットワーク上のすべてのパケットデータを受信する回路であり、受信したパケットデータを後段のパケットデータ蓄積回路２０２と、補足データ蓄積回路２０３に出力する。
【００２７】
パケットデータ蓄積回路２０２では、受信したパケットデータから、基本情報（ネットワーク識別、パケットサイズ、データ種別情報など）を抽出し、所定の記憶領域に蓄積し、受信データリスト作成回路２０４に通知する。
【００２８】
補足データ蓄積回路２０３では、受信したパケットデータから、補足情報（ネットワーク情報、再送情報、エラー情報、衝突パケット発生情報など）を抽出し、所定の記憶領域に蓄積し、受信データリスト作成回路２０４に通知する。
【００２９】
受信データリスト作成回路２０４では、通知された結果を基に、基本情報と補足情報を基に受信データリストを作成し、データ変換処理回路１０４に出力する。
【００３０】
この構成により、探索するための特別なパケットデータをネットワーク上に送信することなく、前記受信手段で受信した前記現在のデータ情報と、前記データ蓄積手段に蓄積された前記補足データを基に、受信データ情報として出力することができる。
【００３１】
図３は本発明の一実施の形態のネットワーク自動検索表示装置のネットワーク監視処理回路１０３の構成を示すブロック図である。
【００３２】
図３において、受信回路ｂ３０１では、送受信アンテナ１０１から受信したネットワーク上のネットワーク識別情報を受信し、ネットワーク識別情報検出回路３０２に出力する。
【００３３】
ネットワーク識別情報検出回路３０２では、受信したネットワーク識別情報から識別情報に含まれるネットワーク情報（電波強度情報、転送レート情報など）を抽出し、識別情報リスト作成回路３０３に出力する。
【００３４】
識別情報リスト作成回路３０３では、入力されたネットワーク情報を電波強度の高い順でかつ転送レートの大きい順に優先順位をつけ、ネットワーク識別情報リストを作成し、ネットワーク情報設定処理回路１０５に出力する。
【００３５】
この構成により、現在存在しているネットワーク上の情報から、優先順位を行ったネットワーク識別リストを作成し、作成したネットワーク識別リストから接続するネットワークを決定することができる。
【００３６】
図４は本発明の一実施の形態のネットワーク自動検索表示装置のデータ変換処理回路１０４の構成を示すブロック図である。
【００３７】
図４において、受信データリスト検出回路４０１は、送受信処理回路から出力された受信データリストを、１リストごとに分離し、情報比較回路４０２に出力する。
【００３８】
情報比較回路４０２では、入力された受信データリストを前回値と送受信情報量の大小比較、およびエラー関連情報の大小比較を行いパケット情報リスト作成回路４０３に出力する。
【００３９】
パケット情報リスト作成回路４０３では、情報比較回路４０２で比較された比較結果と、受信データリスト検出回路４０１から出力された受信データリストを基に、送受信情報量が多い順で、かつエラー関連情報の少ない順で優先順位付けを行い、受信データリストの並び替えを行う。作成されたパケット情報リストは、後段のネットワーク情報設定処理回路１０５に出力される。
【００４０】
図５は本発明の一実施の形態のネットワーク自動検索表示装置のネットワーク情報設定処理回路１０５の構成を示すブロック図である。
【００４１】
図５において、パケット情報リスト検出回路５０１では、データ変換処理回路１０４から出力されたパケット情報リストを検出し、検出したリストをネットワーク情報比較回路５０３に出力する。ネットワーク識別情報リスト検出回路５０２では、ネットワーク監視処理回路１０３から出力されたネットワーク識別情報リストを検出し、検出したリストを、ネットワーク情報比較回路５０３に出力する。
【００４２】
ネットワーク情報比較回路５０３では、入力されたパケット情報リストと、ネットワーク識別情報リストから、基本情報（識別情報）が一致するリストを検出し、ネットワーク情報リストとして作成し、接続リスト作成回路５０４に出力する。
【００４３】
接続リスト作成回路５０４では、入力されたネットワーク情報を、さらに電波強度の強さ、送受信情報量とエラー情報の状態から優先度を設定し、接続リストを作成する。作成された接続リストは、ネットワーク切換処理回路１０６に出力する。
【００４４】
この構成により、ネットワーク上の通信状態、および存在するネットワーク識別情報を監視しながら、接続リストの優先順位付けを自動で行い、作成された接続リストを基に自動接続を行うことができる。
【００４５】
図６は本発明の一実施の形態のネットワーク自動検索表示装置のネットワーク切換処理回路１０６の構成を示すブロック図である。
【００４６】
図６において、ネットワーク接続リスト検出回路６０１では、ネットワーク情報設定処理回路１０５から出力された優先順位付けされた接続リスト情報を検出し、優先順位の高いリスト順にネットワーク切換回路６０２に接続情報を出力する。
【００４７】
ネットワーク切換回路６０２では、入力された接続リストに応じて、ネットワーク設定を変更し、所定のネットワークに接続を行う。接続が完了した時点で、接続完了通知を情報端末検出回路６０３に通知する。
【００４８】
情報端末検出回路６０３では、接続完了通知を受けた時点で、ネットワーク上に存在している情報端末の有無を検索し、検索した結果を基に情報端末リストを作成する。情報端末が１台もいないと判断したとき、次に優先度の高いネットワークに切換を行うように、ネットワーク接続リスト検出回路６０１に次リスト設定要求を出力する。
【００４９】
ネットワーク接続リスト検出回路６０１は、情報端末検出回路６０３から次リスト設定要求通知が入力された時点で、再度次に優先度の高い接続リスト情報をネットワーク切換回路６０２に出力し、情報端末が表示される、または接続リストがなくなるまで継続する。
【００５０】
情報端末リストは表示回路１０７に出力され、表示回路１０７で情報端末情報として表示する。
【００５１】
図７は本発明のネットワーク自動検索表示装置の具体的な動作手順について説明する動作手順説明図である。
【００５２】
送受信処理回路１０２で、ネットワーク上に存在している情報を検出したとき（図７（ａ）に示す）、送受信処理回路１０２では、検出したネットワーク情報からサイズ情報（同図ではＡｓ，Ｂｓ，Ｃｓで示す）、エラー情報（同図ではＡｅ，Ｂｅ，Ｃｅで示す）、衝突パケット発生情報（同図ではＡｃ，Ｂｃ，Ｃｃで示す）を抽出し、データ変換処理回路１０４に出力する。抽出したネットワーク（パケット）情報はデータ変換処理回路１０４において、それぞれのネットワーク情報を比較する。すなわち、抽出したサイズ情報、エラー情報、衝突パケット発生情報から、ネットワークの接続状態を判断する。エラー情報＋衝突パケット発生情報とサイズ情報の関係から、大小比較を行い情報量に対するエラー発生状態が少ない順序でネットワークパケット情報をリスト化する。図７（ｂ）の例では、（（Ｂｅ＋Ｂｃ）／Ｂｓ）＜（（Ａｅ＋Ａｃ）／Ａｓ）＜（（Ｃｅ＋Ｃｃ）／Ｃｓ）という関係の場合、ネットワーク情報を、ＳＳＩＤ（Ｂ）、ＳＳＩＤ（Ａ）、ＳＳＩＤ（Ｃ）の順序でリストを作成する。作成したリストはネットワーク情報設定処理回路１０５に出力する。
【００５３】
ネットワーク監視処理回路１０３では、ネットワーク識別情報を検出し、ネットワーク識別情報から電波強度情報を抽出する（図７（ｃ）に示す）。同図（ｃ）において、ＳＳＩＤ（Ａ）の電波強度は（Ａｒ）、ＳＳＩＤ（Ｂ）の電波強度は（Ｂｒ）、ＳＳＩＤ（Ｃ）の電波強度が（Ｃｒ）であり、電波強度の強い順に並べ替える。たとえば、図７（ｄ）に示すように電波強度がＢｒ＞Ａｒ＞Ｃｒである場合、ＳＳＩＤ（Ｂ）、ＳＳＩＤ（Ａ）、ＳＳＩＤ（Ｃ）の順にリストを作成する。作成したリストは、ネットワーク情報設定処理回路１０５に出力する。
【００５４】
作成した２つのリストから図７（ｅ）に示すように、優先度の高いに所定の処理（たとえば重み付け）を行い、接続リストを作成する。同図（ｅ）の場合、ＳＳＩＤ（Ｂ）がともにリストの１番目に配置されているため、優先的に接続するネットワークとしてリスト登録する。作成した接続リストを基に、ネットワーク切換処理回路１０６に出力し、登録したネットワークに自動接続する。
【００５５】
上記構成により、ネットワーク上に存在しているネットワーク情報に含まれる情報を使用し、接続するネットワーク情報に優先順位を作成し、接続リストを作成、作成した接続リストを使用してネットワーク自動接続処理を行うことで、特別なパケットをネットワーク上に送信することなく、接続すべきネットワークを決定することができるため、ネットワーク負荷をかけることもなく、また事前処理を行わずにリストを作成することができる。
【産業上の利用可能性】
【００５６】
本発明は、通信状態表示用の専用パケットを送信する必要も無く、また送信先端末も必要ない状態で現在の通信状態を把握でき、また、接続すべきネットワークリストを作成することができるネットワーク自動検索表示装置として有用である。
【符号の説明】
【００５７】
１０１  送受信アンテナ
１０２  送受信処理回路
１０３  ネットワーク監視処理回路
１０４  データ変換処理回路
１０５  ネットワーク情報設定処理回路
１０６  ネットワーク切換処理回路
１０７  表示回路
２０２  パケットデータ蓄積回路
２０３  補足データ蓄積回路
２０４  受信データリスト作成回路
３０２  ネットワーク識別情報検出回路
３０３  識別情報リスト作成回路
４０１  受信データリスト検出回路
４０２  情報比較回路
４０３  パケット情報リスト作成回路
５０１  パケット情報リスト検出回路
５０２  ネットワーク識別情報リスト検出回路
５０３  ネットワーク情報比較回路
５０４  接続リスト作成回路
６０１  ネットワーク接続リスト検出回路
６０２  ネットワーク切換回路
６０３  情報端末検出回路
【図１】
2010278818.tif 000003
【図２】
2010278818.tif 000004
【図３】
2010278818.tif 000005
【図４】
2010278818.tif 000006
【図５】
2010278818.tif 000007
【図６】
2010278818.tif 000008
【図７】
2010278818.tif 000009
【図８】
2010278818.tif 000010